(57)【特許請求の範囲】
【請求項１】
胴縁に縦格子を取り付けた格子体と、隣接する格子体の胴縁同士を角度自在に連結するコーナー連結具と、コーナー補助縦格子と、コーナー補助縦格子を一方の格子体に固定する取付具とを備え、コーナー補助縦格子は胴縁に対して縦格子体の縦格子と同じ側にあり、コーナー連結具の回動部がコーナー補助縦格子の背面位置となる配置にしてあることを特徴とした格子体フェンス。
【請求項２】
笠木と下弦材との間に縦格子を取り付けた格子体と、隣接する格子体の笠木同士を角度自在に連結するコーナー連結具と、隣接する格子体の下弦材同士を角度自在に連結するコーナー連結具と、コーナー補助縦格子と、コーナー補助縦格子を一方の格子体の縦格子に固定する取付具とを備え、コーナー補助縦格子が上下のコーナー連結具の間であって該一方の格子体の縦格子と並べて配置されたことを特徴とした格子体フェンス。
【請求項３】
前記取付具は、隣接した一方の格子体の縦格子の貫通孔に支持されていることを特徴とした請求項２に記載の格子体フェンス。
【請求項４】
前記取付具は、左右方向の長さを適宜長さのものにすることで、コーナー補助縦格子の左右方向の位置を調整自在なものにできることを特徴とした請求項１〜３のいずれか一つに記載の格子体フェンス。
【発明の詳細な説明】
【技術分野】
【０００１】
本発明は、縦格子を有する格子体を単位としてその複数を一連に連結した格子体フェンスに関する。
【背景技術】
【０００２】
格子体フェンスを構成する格子体には、上下の胴縁に縦格子を取り付けた格子形と笠木と下弦材の間に縦格子を取り付けた笠木形とがある。
格子体フェンスでは、格子体同士の連結箇所を含めて、格子間隔を１１０ｍｍ以下にする必要がある（ＪＩＳ規定）。
特許文献１のフェンスでは、このために、格子体の連結箇所にＬ字形の格子取付ブラケットを用いてコーナー補助縦格子（補間用縦桟）を取り付けている。
【先行技術文献】
【特許文献】
【０００３】
【特許文献１】特開２００９−１９７５１６号公報
【発明の概要】
【発明が解決しようとする課題】
【０００４】
特許文献１のフェンスでは、コーナー補助縦格子を取り付けるブラケットによってコーナー補助縦格子の位置が決まり、コーナー補助縦格子の位置を調整できない。
この発明は、縦格子を有する格子体の連結箇所において、縦格子間の間隔を１１０ｍｍ以下とし、また、敷地形状に応じてコーナー連結(水平面で角度を有して連結)や傾斜連結（垂直面で角度を有して連結）など様々な連結角度に対応してコーナー補助縦格子の間隔を整えやすい格子体フェンスの提供を課題とする。
【課題を解決するための手段】
【０００５】
請求項１に記載の発明は、胴縁に縦格子を取り付けた格子体と、隣接する格子体の胴縁同士を角度自在に連結するコーナー連結具と、コーナー補助縦格子と、コーナー補助縦格子を一方の格子体に固定する取付具とを備え、コーナー補助縦格子は胴縁に対して縦格子体の縦格子と同じ側にあり、コーナー連結具の回動部がコーナー補助縦格子の背面位置となる配置にしてあることを特徴とした格子体フェンスである。
請求項２に記載の発明は、笠木と下弦材との間に縦格子を取り付けた格子体と、隣接する格子体の笠木同士を角度自在に連結するコーナー連結具と、隣接する格子体の下弦材同士を角度自在に連結するコーナー連結具と、コーナー補助縦格子と、コーナー補助縦格子を一方の格子体の縦格子に固定する取付具とを備え、コーナー補助縦格子が上下のコーナー連結具の間であって該一方の格子体の縦格子と並べて配置されたことを特徴とした格子体フェンスである。
請求項３に記載の発明は、前記取付具は、隣接した一方の格子体の縦格子の貫通孔に支持されていることを特徴とした請求項２に記載の格子体フェンスである。
請求項４に記載の発明は、前記取付具は、左右方向の長さを適宜長さのものにすることで、コーナー補助縦格子の左右方向の位置を調整自在なものにできることを特徴とした請求項１〜３のいずれか一つに記載の格子体フェンスである。
【発明の効果】
【０００６】
請求項１に記載の構成によれば、コーナー連結具による格子体の連結箇所にコーナー補助縦格子を配置することにより、ＪＩＳ規定の１１０ｍｍ間隔以内に構成できる。
格子体フェンスにおける縦格子間隔を格子体の連結箇所においてもほぼおなじにすることができ、格子体フェンスの縦格子配列に均一性、連続性が出る。
コーナー補助縦格子の背面側にコーナー連結具の回動部が位置する配置とするので、コーナー連結具を隠すようにコーナー補助縦格子を配置でき、フェンスの見栄えが良い。
請求項２に記載の構成によれば、笠木形の格子体同士の連結箇所においても、縦格子間隔を１１０ｍｍ間隔以内に構成できるとともに、縦格子配列の均一性、連続性を達成できる。取付具の数を増加して強度確保などの必要に応じることができる。
請求項３に記載の構成によれば、請求項２の効果に加えて、コーナー補助縦格子を支持する取付具が安定して固定され、コーナー補助縦格子の支持を補強することができる。
請求項４に記載の構成によれば、請求項１、２、３の効果に加えて、取付具の長さを調整して、連結箇所におけるコーナー補助縦格子の左右方向位置を調整し、コーナー連結や傾斜連結の角度に応じてコーナー補助縦格子の位置を変更することができる。また、コーナー連結具の位置を避けてコーナー補助縦格子を配置することができる。取付具の数を増加して強度確保などの必要に応じることができる。
【図面の簡単な説明】
【０００７】
【図１】格子形フェンスの正面図（実施例１）。
【図２】図１のＡ−Ａ線箇所の断面透視による側面図。
【図３】連結箇所を拡大して示した断面透視による正面図。
【図４】連結箇所を拡大して示した断面透視による平面図。
【図５】出隅コーナー箇所を示した平面図（一部断面）。
【図６】入隅コーナー箇所を示した平面図（一部断面）。
【図７】傾斜連結箇所を示した正面図（実施例２）。
【図８】連結金具（実施例２）を示し、（イ）は分解斜視図、（ロ）は同縁側金具の平面図、（ハ）はコーナー縦格子側金具の平面図。
【図９】連結箇所を拡大して示した断面透視による平面図（実施例２）。
【図１０】笠木形フェンスの正面図（実施例３）。
【図１１】連結箇所を拡大して示した断面透視による正面図。
【図１２】図１０のＡ−Ａ線箇所の断面透視による側面図。
【図１３】（イ）は、直線状の連結を示した平面図、（ロ）は、出隅コーナー箇所を示した平面図、入隅コーナー箇所を示した平面図（図１１のＢ−Ｂ断面に相当）。
【図１４】図１のＡ−Ａ線箇所の断面透視による側面図に相当する側面図。
【図１５】笠木形フェンスの結合部を概略で示した断面透視による（イ）は正面図、（ロ）は要部斜視図。
【発明を実施するための形態】
【実施例１】
【０００８】
図１は、格子形フェンス１の例であり、一部を図示している。格子形フェンス１は、格子体フェンスの一つであり、縦格子形の格子体２，３を支柱４ａ〜４ｄで支持して基礎５ａ〜５ｄに立設している。
格子体２は上下平行に配置された２本の胴縁６ａ，６ｂの正面側に複数本の縦格子７を等間隔に取り付けて構成してある。格子体３も同様であり、上下平行に配置された２本の胴縁８ａ，８ｂの正面側に複数本の縦格子９を等間隔に取り付けて構成してある。
【０００９】
格子体２，３は、連結箇所１０（１０ａ，１０ｂ）においてコーナー連結具（後述）を用いて連結し、平坦地の格子体２に対して格子体３は上方へ４０°傾斜した状態で連結してある(傾斜連結)。そして、連結箇所に１本のコーナー補助縦格子１１を配置してある。縦格子７，７の間隔と縦格子９，９の間隔および連結箇所１０におけるコーナー補助縦格子１１と縦格子７及び縦格子９との間隔を等しくし、格子形フェンス１としての連続した均一感を維持している。また、この間隔は１１０ｍｍ以下としてある。
【００１０】
図２に示すように、格子体２において、それぞれの縦格子７は胴縁６ａに対してねじ１２ａで、胴縁６ｂに対してねじ１２ｂで固定し、縦格子７の上下で取り付けてある。格子体２は支柱４ａ，４ｂの正面に取り付けた上下のブラケット１３ａ，１３ｂに載置・係合させて取り付けてある。なお、縦格子７と胴縁６ａとの固定を補強するには図１４のように、ねじ１２ａに加えてねじ１２ｃを合わせて用いることがある。
ブラケット１３ａ，１３ｂは支柱４ａ，４ｂの背面から差し込んだボルト１４ａ，１４ｂによって支柱４ａ，４ｂにそれぞれ取り付けてある。
格子体３においても同様であり、図示していないが、それぞれの縦格子９は胴縁８ａに対してねじ１２ａで、胴縁８ｂに対してねじ１２ｂで固定し、縦格子９の上下で取り付けてある。そして、格子体３は支柱４ｃ，４ｄの正面に取り付けた上下のブラケット１３ａ，１３ｂに載置・係合させて取り付けてある。この場合も、縦格子９と胴縁８ｂとの固定を補強するにはねじ１２ｂに加えてねじ１２ｄを合わせて用いるとよい。
ブラケット１３ａ，１３ｂは支柱４ｃ，４ｄの背面から差し込んだボルト１４ａ，１４ｂによって支柱４ｃ，４ｄにそれぞれ取り付けてある。
【００１１】
連結箇所１０ａにおいて、格子体２の胴縁６ａと格子体３の胴縁８ａを、コーナー連結具１５（この実施例では、自在継手）を用いて連結してある(図３，４）。コーナー連結具１５は、一方の部材１６ａと他方の部材１６ｂが重合して回動できる回動部１６（図４）と一方の部材１６ａと一体の一方の接続部１７ａ及び他方の部材１６ｂと一体の接続部１７ｂとからなり、一方の接続部１７ａの差込み部１８ａを胴縁６ａの端部へ差し込んでねじ１９で胴縁６ａの端部へ固定する。接続部１７ａは、差込み部１８ａに対して、胴縁６ａの長手方向軸線と平行な軸を中心に回動可能としてある。他方の接続部１７ｂの差込み部１８ｂを胴縁８ａの端部へねじ１９で固定する。接続部１７ｂは差込み部１８ｂに対して、胴縁８ａの長手方向軸線と平行な軸を中心に回動可能にしてある。これによって、胴縁６ａと胴縁８ａが連結される。回動部１６の回動軸をｘ軸とすると、一方の接続部１７ａの回動軸がｙ軸、他方の接続部１７ｂの回動軸がｚ軸となり、自在継手となっている。
【００１２】
連結箇所１０ｂにおいても同様に、格子体２の胴縁６ｂと格子体３の胴縁８ｂをコーナー連結具１５によって連結する。
連結箇所１０には、さらに、コーナー補助縦格子１１が配置される。コーナー補助縦格子１１は、他の縦格子７と同じものであり、隣接した縦格子７との間に取付具２０を用いて取り付ける。縦格子７は上下の胴縁６ａ，６ｂにねじ１２ａ，１２ｂで固定されている。取付具２０は、この実施例において、横格子であって、中空形材から短く切り出して形成してある。取付具２０は、断面においてビスホール２１を対向位置に備える（図２）。取付具２０の長さは前記縦格子７の中心からコーナー連結具１５の回動部１６の中心までの寸法から縦格子７の幅寸法を差し引いた寸法とする。実施例において、この寸法は１１０ｍｍ以下であり、また縦格子７，７の間隔とほぼ等しくなる。
【００１３】
コーナー補助縦格子１１とこれに隣接した縦格子７との結合は、コーナー補助縦格子１１と前記縦格子７との間に取付具２０を水平に配置してその端部をコーナー補助縦格子１１と前記縦格子７に突き当て、コーナー補助縦格子１１と前記縦格子７に設けた取付孔２２からビス２３を取付具２０のビスホール２１にねじ込むことにより行う。符号２４は塞ぎ部材であり、コーナー補助縦格子１１と前記縦格子７のそれぞれに取付具２０が突き当たる側とは反対側に設けた取付孔２２を塞ぐものである。
【００１４】
取付具２０によるコーナー補助縦格子１１と前記縦格子７との結合は、連結箇所１０ａと連結箇所１０ｂの２か所とし、それぞれ取付具２０が正面視で胴縁６ａ，６ｂと正面側で重なる配置とする（図４）。また、コーナー補助縦格子１１は、取付具２０の寸法により、上下のコーナー連結具１５の回動部１６を縦方向につなぐような配置となる（図３、図４）。
コーナー補助縦格子１１と取付具２０は、他の縦格子７と同じ側にあって胴縁６と平行な面にあるから、また、格子体３の縦格子９と同じ側にあって胴縁８と平行な面にあるから（図４）、格子体２に対して格子体３を傾斜して連結する際に、コーナー補助縦格子１１がコーナー連結具１５と衝突するなど、他の部分と干渉することはない。
【００１５】
図５は、格子体２に対して格子体３を水平面内で屈曲し、格子形フェンス１の出隅コーナーとなる場合である(水平連結)。コーナー連結具１５の回動部１６を水平に配置し、格子体２に対して格子体３が回動部１６を中心に回動した位置３ａ，３ｂとなっている。この場合、格子体３の回動に支障はなく、また、コーナー補助縦格子１１は、出隅コーナーの内側正面から見て隣接した縦格子７，９の中間部に位置する。つまり、出隅コーナー部において、隣接する縦格子７，９間の間隔が大きくなるのをコーナー補助縦格子１１が補間して前記のＪＩＳ規格を満たすとともに、格子形フェンス１における縦格子間隔の乱れを防止している。
【００１６】
図６は、格子体２に対して格子体３を水平面内で屈曲し、格子形フェンス１の入隅コーナーとなる場合である。コーナー連結具１５の回動部１６を水平に配置し、格子体２に対して格子体３が回動部１６を中心に回動した位置３ｃとなっている。この場合、格子体３の回動は、コーナー補助縦格子１１と接触するまでであり、制限がある。しかし、その範囲内でコーナー補助縦格子１１は、隣接する縦格子７，９のほぼ中間位置となり、前記のＪＩＳ規格を満たすとともに、格子形フェンス１における縦格子間隔の乱れを防止する。なお、入隅の角度をより小さくしたい場合は、取付具２０の寸法を小さくしてコーナー補助縦格子１１の位置を格子体２側へ引き寄せることで、限度はあるが、対応することができる。
【００１７】
このように、取付具２０の寸法（長さ）を変更することでコーナー連結や傾斜連結の角度に応じてコーナー補助縦格子１１の位置を調整することができる。
また、場合によっては、コーナー連結具１５の位置を避けてコーナー補助縦格子を取り付けることができる。
取付具２０が前記の横格子のような場合、実施例では上下２本の配置としているがコーナー補助縦格子１１と縦格子７間の取付け強度を増加する必要があるときは、取付具２０の本数を増すことにより、簡単に対応することができる。
コーナー連結具１５はコーナー補助縦格子１１の背面側に配置するので、コーナー連結具を隠して目立たなくしたり、コーナー補助縦格子１１の取付具２０を胴縁と重ね、正面視で胴縁とまぎれるようにしたりすることができる。
また、格子体同士を傾斜を持って連結するとき、傾斜側の格子体３の縦格子間隔は水平に配置してある格子体２の縦格子間隔よりも狭くなるが、その変化を連結箇所に取り付けるコーナー補助縦格子１１の位置を取付具２０の長さで調整することにより、滑らかに連続させることができ（連続性の改善）、格子体フェンス全体の見栄えが向上する。
【実施例２】
【００１８】
図７は、実施例１における格子形フェンス１の連結箇所１０ｂに相当する箇所を示している。実施例２において、実施例１の格子形フェンスと異なる点は、取付具２０とこれによるコーナー補助縦格子１１の取付構造であって、他の構成は同じである。このため、他の構成については実施例１の図及び説明を用いることとし、詳細な説明を省略する。
【００１９】
さて、取付具２０は、コーナー補助縦格子１１を胴縁６ａ、６ｂの端部へ取り付けるためのものであり、この実施例では図８のように、胴縁側金具２５と縦格子側金具２６とからなる。胴縁側金具２５は、水平な長板２７の一端部両側に立上片２８を有し、他端部に長板２７の長手方向に長い長孔２９を有する。立上片２８にはタップ切りしたねじ孔３０を設けてある。
縦格子側金具２６は、長板の一端部を折り曲げて短片３１と長片３２とからなるＬ字形の金具であり、短片３１にねじ挿通孔３３を設け、長片３２に長手方向に長い長孔３４を設けてある。
【００２０】
連結箇所１０において、コーナー補助縦格子１１は取付具２０を用いて次のように取り付けられる。まず、胴縁側金具２５を、その立上片２８を一方の胴縁６ａの端部で下部に、胴縁６ａの外側からねじ孔３０にねじ込むねじ３５により固定する。ついで、縦格子側金具２６を、その長片３２を胴縁側金具２５の長板２７に直交させて配置し、長孔３４と長孔２９に貫通させたねじ３６により、縦格子側金具２６を胴縁側金具２５に連結する。連結に際して縦格子側金具２６の短片３１が正面側に向くように配置する。短片３１の突出量は短片３１の位置が胴縁６ａの正面の位置となる量である（図９）。このようにして取付具２０を上下の連結箇所１０ａ，１０ｂに取り付け、最後にコーナー補助縦格子１１を縦格子側金具２６の短片３１に当て付け、短片３１のねじ挿通孔３３からねじ３７をコーナー補助縦格子１１の背面にねじ込んで、コーナー補助縦格子１１を連結箇所１０に取り付ける。
【００２１】
実施例２の取付具２０は、実施例１の場合と同様の効果を発揮するほか、次の効果を有する。
縦格子７やコーナー補助縦格子１１に対する孔加工などの手数が少なく施工しやすい。
胴縁側金具２５や縦格子側金具２６を比較的薄い板金加工品とできるのと、これらの配置が胴縁６ａの平面視の範囲に収まってしまうので、格子形フェンス１において取付具２０が目立たない。
胴縁側金具２５と縦格子側金具２６が長孔２９，３４で結合されているので、コーナー補助縦格子１１の左右位置（格子形フェンス１の長手方向）や前後の出入り位置を調整することができるので、格子体２，３の連結箇所１０での出隅、入隅あるいは傾斜に応じてコーナー補助縦格子１１の配置を調整（左右へのシフト）しやすい。
【実施例３】
【００２２】
図１０は、笠木形フェンスの例であり、図示は一部である（笠木形フェンス３８）。笠木形フェンス３８は、縦格子形の格子体３９，４０を支柱４ａ〜４ｄで支持して基礎５ａ〜５ｄ（図１０では５ｂ、５ｃ）に立設している。なお、実施例１の格子形フェンスと同種の部品には同じ符号を用いる。
格子体３９は上部の笠木４１ａと下方の下弦材４１ｂと縦格子７を備え、笠木４１ａと下弦材４１ｂとの間に複数本の縦格子７を等間隔に、それぞれ上端を笠木４１ａに下端を下弦材４１ｂへ取り付けて構成してある。格子体４０も同様であり、笠木４２ａと下弦材４２ｂとの間に縦格子９を等間隔に取り付けて構成してある。
格子体３９，４０は、連結箇所１０（１０ａ，１０ｂ）においてコーナー連結具１５によって傾斜連結されている。連結箇所１０ａは笠木４１ａと笠木４２ａとの連結箇所であり、連結箇所１０ｂは下弦材４１ｂと下弦材４２ｂとの連結箇所である。そして、連結箇所に１本のコーナー補助縦格子１１を配置してある。縦格子７，７の間隔と縦格子９，９の間隔および連結箇所１０におけるコーナー補助縦格子１１と縦格子７及び縦格子９との間隔は、１１０ｍｍ以下であり、他の縦格子間の間隔と等しくしてある。
【００２３】
図１１に示すように、格子体３９ではそれぞれの縦格子７を笠木４１ａに対してねじ１２ａで、下弦材４１ｂに対してねじ１２ｂで固定している。そして、格子体３９の両端部を支柱４ａ，４ｂの正面に、上下のブラケット１３ａ，１３ｂを用いて取り付けてある（図１２）。ブラケット１３ａ，１３ｂは支柱４ａ，４ｂの背面から差し込んだボルト１４ａ，１４ｂによって支柱４ａ，４ｂにそれぞれ取り付けてある。
格子体４０においても同様であり、詳細な説明を省略する。
【００２４】
連結箇所１０ａにおいて、格子体３９の笠木４１ａと格子体４０の笠木４２ａを、コーナー連結具１５を用いて連結してある(図１０）。コーナー連結具１５は、回動部１６（図１１）と一方の接続部１７ａ及び他方の接続部１７ｂを備えたｘ、ｙ、ｚ軸で回動可能な自在継手である。このコーナー連結具１５は実施例１と同じ構成であり、詳細な説明を省略する。
連結箇所１０ｂにおいても同様に、格子体３９の下弦材４１ｂと格子体４０の下弦材４２ｂをコーナー連結具１５によって連結する。
【００２５】
連結箇所１０には、さらに、コーナー補助縦格子４３が配置される。コーナー補助縦格子４３は、他の縦格子７，９と同じものであり、隣接した一方の縦格子７との間に取付具２０を用いて取り付ける。縦格子７は両端が笠木４１ａと下弦材４１ｂとにねじ１２ａ，１２ｂで固定されている。取付具２０は、この実施例において、横格子であって、中空形材から短く切り出して形成してある。取付具２０は、断面においてビスホール２１を対向位置に備える（図２）。取付具２０の長さは前記縦格子７の中心からコーナー連結具１５の回動部１６の中心までの寸法から縦格子７の幅寸法を差し引いた寸法とする。実施例において、この寸法は１１０ｍｍ以下であり、また縦格子７，７の間隔とほぼ等しくなる。
【００２６】
コーナー補助縦格子４３とこれに隣接した縦格子７との結合は、コーナー補助縦格子４３と前記縦格子７との間に取付具２０を水平に配置してその端部をコーナー補助縦格子４３と前記縦格子７に突き当て、コーナー補助縦格子４３と前記縦格子７に設けた取付孔２２からビス２３を取付具２０のビスホール２１にねじ込むことにより行う。符号２４は塞ぎ部材であり、コーナー補助縦格子４３と前記縦格子７のそれぞれに取付具２０が突き当たる側とは反対側に設けた取付孔２２を塞ぐものである。
【００２７】
取付具２０によるコーナー補助縦格子４３と前記縦格子７との結合は、連結箇所１０ａと連結箇所１０ｂ間の数箇所（この実施例では４箇所  図１１）である。また、コーナー補助縦格子４３と取付具２０は、格子体３９の縦格子７が並ぶ面と同じ面にあって平面視では笠木４１ａの幅範囲内に納まる（図１２）。コーナー補助縦格子４３の位置は、この実施例において上方のコーナー連結具１５の直下（図１３）であって、上下のコーナー連結具１５，１５の間（図１２）となっている。
【００２８】
コーナー補助縦格子４３を隣接した縦格子７の一方と結合する取付具２０は、図１５（イ）、（ロ）のような細めの形材丸パイプから切り出した取付具２０ａであってもよい。この取付具２０ａは、隣接した一方の縦格子７に形成した貫通孔（現場加工となることが多い）に通してこれに支持されるとともにその端部を次に隣接した縦格子７（二番目の縦格子）に突き当てて結合してもよい。コーナー補助縦格子４３と前記縦格子７に設けた取付孔２２からビス２３を取付具２０のビスホール２１にねじ込むことによりコーナー補助縦格子４３と２番目の縦格子７との結合を行う。符号２４は塞ぎ部材である。
コーナー補助縦格子４３を支持する取付具２０ａが格子体側に安定して固定され、コーナー補助縦格子４３の支持が補強される。
図において、符号４４は化粧用カラー部材であり、コーナー補助縦格子とこれに隣接した一方の縦格子７の間及びこの縦格子７と次に隣接する縦格子７との間の長さ寸法とされ切り出した形材丸パイプに被せてある。
【００２９】
図１３の（イ）（ロ）（ハ）は、水平連結とした笠木形フェンスの状態を図１１のＢ−Ｂ箇所の断面位置で平面視に示したものであり、（イ）は、直線状、（ロ）は出隅コーナーの状態、（ハ）は入隅コーナーの状態である。いずれの状態でもコーナー補助縦格子４３は、コーナー連結具１５の直下にあるので、笠木形フェンスを屈曲するために一方の格子体３９に対し、他方の格子体４０を図（ロ）（ハ）のように回動しても格子体４０の回動に支障はなく、また、コーナー補助縦格子４３と他の縦格子７，９との間隔が大きくなることもない。
なお、取付具２０の寸法（長さ）を変更することでコーナー連結や傾斜連結の角度に応じてコーナー補助縦格子４３の位置を調整することができる。これは、笠木形フェンスにおいても、格子体同士を傾斜を持って連結するとき、傾斜側の格子体４０の縦格子間隔は水平に配置してある格子体３９の縦格子間隔よりも狭くなるが、その変化を連結箇所に取り付けるコーナー補助縦格子４３の位置を取付具２０の長さで調整することにより、滑らかに連続させることができることを意味する。これによって、格子体フェンス全体の見栄えが向上する。
また、取付具２０の数を増やすことで簡単に取り付け強度を大きくできる。
【００３０】
以上、実施例について説明した。
コーナー連結具１５は実施例の構造に限らない。
取付具２０の長さを調整できる手段としては、複数の部材からなって相互に抜き差しと固定が可能なものや、長短複数の取付具２０を準備しておき、これを選択して調整することや、取付具２０を基本長さ部分と付加部分とで構成しておき、付加部分を増減して長短調整できるものなどを含む。取付具２０が横格子である場合には、例えば、横格子を２つの部分からなるものとしてその長さを調整し、ねじなどで調整位置を固定できる構造とすることになる。
コーナー補助縦格子１１、４３は、取付具２０によって、隣接した縦格子７以外の縦格子に取り付けることもある。  
【符号の説明】
【００３１】
１  格子形フェンス
２  格子体
３  格子体
４（４ａ〜４ｄ）  支柱
５（５ａ〜５ｄ）  基礎
６（６ａ，６ｂ）  胴縁
７  縦格子
８（８ａ，８ｂ）  胴縁
９  縦格子
【００３２】
１０  連結箇所
１１  コーナー補助縦格子
１２（１２ａ，１２ｂ、１２ｃ、１２ｄ）  ねじ
１３（１３ａ，１３ｂ）  ブラケット
１４（１４ａ，１４ｂ）  ボルト
１５  コーナー連結具
１６  回動部
１６ａ  一方の部材
１６ｂ  他方の部材
１７  接続部
１７ａ  一方の接続部
１７ｂ  他方の接続部
１８（１８ａ，１８ｂ）  差込み部
１９  ねじ
【００３３】
２０，２０ａ  取付具
２１  ビスホール
２２  取付孔
２３  ビス
２４  塞ぎ部材
２５  銅縁側金具
２６  縦格子側金具
２７  長板
２８  立上片
２９  長孔
【００３４】
３０  ねじ孔
３１  短片
３２  長片
３３  ねじ挿通孔
３４  長孔
３５  ねじ
３６  ねじ
３７  ねじ
３８  笠木形フェンス
３９  格子体
４０  格子体
４１ａ  笠木  
４１ｂ  下弦材
４２ａ  笠木
４２ｂ  下弦材
４３  コーナー補助縦格子
４４  化粧用カラー部材
【図１】
0005937822.tif 000002
【図２】
0005937822.tif 000003
【図３】
0005937822.tif 000004
【図４】
0005937822.tif 000005
【図５】
0005937822.tif 000006
【図６】
0005937822.tif 000007
【図７】
0005937822.tif 000008
【図８】
0005937822.tif 000009
【図９】
0005937822.tif 000010
【図１０】
0005937822.tif 000011
【図１１】
0005937822.tif 000012
【図１２】
0005937822.tif 000013
【図１３】
0005937822.tif 000014
【図１４】
0005937822.tif 000015
【図１５】
0005937822.tif 000016